(57)【要約】【課題】到来する受信信号に歪がある場合でも、自動的に正確に変調方式の識別が可能である信号変調方式識別システムを提供すること。【解決手段】信号変調方式識別システム１、１Ａを、理想的な信号波形に歪を付加して識別パラメータを測定する理想波形系２と、実際のデジタル変調信号を収集して識別パラメータを測定する実信号系３と、識別対象となるデジタル信号を受信して該デジタル信号の識別パラメータを測定・比較して変調方式を識別する被識別信号系４、４Ａと、識別パラメータを供給するデータベース５とにより構成する。【選択図】図１
2008035078.tif 000002
【特許請求の範囲】
【請求項１】
既知の変調方式によるデジタル変調信号の理想的な信号波形を元にして、該信号波形に歪を付加して識別パラメータを測定する理想波形系と、
実際のデジタル変調信号を収集して該デジタル変調信号の変調方式を分析し、分析された信号の識別パラメータを測定する実信号系と、
識別対象となるデジタル信号を受信して該デジタル信号の識別パラメータを測定・比較して変調方式を識別する被識別信号系と、
前記理想波形系および前記実信号系のそれぞれの計測した識別パラメータを記憶し、かつ、前記被識別信号系へ前記識別パラメータを供給するデータベースとを有することを特徴とする信号変調方式識別システム。
【請求項２】
前記理想波形系は、理想波形を発生する理想波形発生部と、この理想波形発生部で発生した前記理想波形に歪を付加する歪付加部と、この歪付加部で歪が付加された波形の識別パラメータを測定する測定パラメータ測定部とを有していることを特徴とする請求項１に記載の信号変調方式識別システム。
【請求項３】
前記実信号系は、実信号波形を収集する実信号波形収集部と、この実信号波形収集部で収集した前記実信号波形の変調形式を分析する変調形式分析部と、この変調方式分析部での分析結果についての識別パラメータを測定する識別パラメータ測定部とを有することを特徴とする請求項１に記載の信号変調方式識別システム。
【請求項４】
前記被識別信号系は、変調方式が未知で歪が加えられている変調信号を受信する被識別信号受信部と、この被識別信号受信部で受信した受信信号の波形から識別パラメータを測定する識別パラメータ測定部と、この識別パラメータ測定部により測定された識別パラメータを前記データベースに記億されている識別パラメータと比較する識別パラメータ比較部と、この識別パラメータ比較部で識別パラメータ同士を比較した結果が、予め設定している設定値より大きいときは、前記データベースに記憶されていた識別パラメータに対応した変調方式により変調されていると識別する変調方式識別手段とを有することを特徴する請求項１に記載の信号変調方式識別システム。
【請求項５】
前記識別パラメータ比較部で識別パラメータ同士を比較した結果が、予め設定している設定値より大きいときは、前記データベースに記憶されていた識別パラメータに対応した変調方式がＡＭ変調方式であると識別することを特徴とする請求項４に記載の信号変調方式識別システム。
【請求項６】
前記被識別信号受信部と前記識別パラメータ測定部との間に、前記識別信号受信部で受信した受信信号を逓倍する逓倍部と、この逓倍部で逓倍された複素数信号を高速フーリエ変換して前記識別パラメータ測定部へ伝達するＦＦＴと、前記識別信号受信部で受信した受信信号についてのコンスタレーション表示を作成し、前記識別パラメータ測定部へ伝達するコンスタレーション表示作成部とを有することを特徴とする請求項４に記載の信号変調方式識別システム。
【請求項７】
前記受信信号が逓倍部で逓倍された後のスペクトラムと、コンスタレーション表示作成部により作成されたコンスタレーション表示とによって判断される変調方式はＢＰＳＫ変調方式であることを特徴とする請求項６に記載の信号変調方式識別システム。
【請求項８】
前記データベースには、少なくともＡＭ変調方式およびＢＰＳＫ変調方式に関する識別パラメータが記憶されていることを特徴とする請求項１乃至７のいずれか１項に記載の信号変調方式識別システム。
【発明の詳細な説明】
【技術分野】
【０００１】
本発明は、到来する変調方式が不明の信号に対して、自動的に変調方式を識別することができる信号変調方式識別システムに関する。
【背景技術】
【０００２】
従来から多様な変調方式を用いたデジタル通信が行われている。このようなデジタル通信の場合、受信側は、事前に判っている通信諸元を用いて自動変調方式識別システム等によって変調方式を判定し、判定された変調方式に従って復調が行われる。
【０００３】
変調方式が不明の信号から受信信号の変調方式を識別する自動変調方式識別システムとしては、例えば、アナログ／デジタル変調方式識別回路により、受信信号が、アナログ変調方式、デジタル変調方式による線形変調方式、デジタル変調方式による非線形変調方式のいずれであるかを識別する技術が知られている。
【０００４】
また、別の方法として、受信信号の包絡線（振幅値）を算出し、算出した包絡線から変調方式を、受信信号の電波伝搬時のマルチパス等によるフェージングの影響も考慮して、自動的に識別する方式も知られている。
【０００５】
すなわち、具体的には、通信装置が移動しているものとし、搬送波周波数１．５ＧＨｚ、通信装置の移動速度を５０ｋｍと仮定すると、受信装置のフェージングピッチは６９Ｈｚとなり、１秒間に約７０回の受信強度の変動、すなわち包絡線の変動が生ずる。しかし、ＰＨＳ（Ｐｅｒｓｏｎａｌ  Ｈａｎｄｙ  Ｐｈｏｎｅ  Ｓｙｓｔｅｍ）を例にとると、その変調方式は線形変調方式（包絡変調有）によるπ／４−ｓｈｉｆｔ  ＤＱＰＳＫ、変調速度は１９２ｋ  ｓｙｍｂｏｌ／ｓであり、フェージングピッチの約３０００倍の速度で包絡線変動を繰り返す。
【０００６】
従って、変調方式識別に使用するデータの時間ｔを短くすることでフェージングによる影響を軽減している。この時間ｔはフェージングピッチに比べて無視できる程度の値である。また、非線形変調方式（定包絡変調方式）の場合も同様に、フェージングの影響を軽減できる。すなわち、短時間のデータを使用することで、包絡線変動の有無を判定する際の影響を削除している。
【０００７】
変調方式の判定は、変調方式判定回路で抽出され記憶されている受信信号の特徴と、変調信号の有する特徴とを照合することで識別を実施する。第一に、アナログ変調方式とデジタル変調方式（線形変調方式、非線形変調方式を含む）の識別は、シンボルクロックの有無により識別可能である。また、第二に、受信信号の包絡線変動を観測することで、線形変調方式と非線形変調方式の識別が可能である。さらに、第三に、受信信号のスペクトラム形状により、ＡＭ変調方式、線形変調方式、非線形変調方式の識別が可能であることが開示されている。（例えば、特許文献１を参照）
【特許文献１】特開２００１−８６１７１号公報
【発明の開示】
【発明が解決しようとする課題】
【０００８】
しかしながら、上述のアナログ／デジタル変調方式識別回路を用いた自動変調方式識別装置では、受信信号をそのまま用いている。したがって、到来する受信信号が歪を受けている場合には、変調方式の誤識別を生じることがある。
【０００９】
また、上述の、受信信号の電波伝搬時のフェージングの影響も考慮して、算出した包絡線から変調方式を自動的に識別する方式では、フェージングによる歪の影響を最小限にする工夫をしているが、他の歪、例えば伝送歪（高速データ伝送のために、データの伝送速度を速めるために、搬送波の周波数を高めると、主波と遅延波の位置のずれにより特定の周波数で干渉を起こして発生する歪）に対しては、なんら対応がなされていない。したがって、それにより、変調方式の誤識別を生じることがある。
【００１０】
本発明は、これらの事情を考慮してなされたもので、受信信号に歪がある場合でも、正確に変調方式の識別が可能である信号変調方式識別システムを提供することを目的としている。
【課題を解決するための手段】
【００１１】
本発明の信号変調方式識別システムの実施の形態に係る第１の特徴は、既知の変調方式によるデジタル変調信号の理想的な信号波形を元にして、該信号波形に歪を付加して識別パラメータを測定する理想波形系と、
実際のデジタル変調信号を収集して該デジタル変調信号の変調方式を分析し、分析された信号の識別パラメータを測定する実信号系と、
識別対象となるデジタル信号を受信して該デジタル信号の識別パラメータを測定・比較して変調方式を識別する被識別信号系と、
前記理想波形系および前記実信号系のそれぞれの計測した識別パラメータを記憶し、かつ、前記被識別信号系へ前記識別パラメータを供給するデータベースとを有することである。
【００１２】
また、本発明の信号変調方式識別システムの実施の形態に係る第２の特徴は、前記理想波形系は、理想波形を発生する理想波形発生部と、この理想波形発生部で発生した前記理想波形に歪を付加する歪付加部と、この歪付加部で歪が付加された波形の識別パラメータを測定する測定パラメータ測定部とを有していることである。
【００１３】
また、本発明の信号変調方式識別システムの実施の形態に係る第３の特徴は、前記実信号系は、実信号波形を収集する実信号波形収集部と、この実信号波形収集部で収集した前記実信号波形の変調形式を分析する変調形式分析部と、この変調方式分析部での分析結果についての識別パラメータを測定する識別パラメータ測定部とを有することである。
【００１４】
また、本発明の信号変調方式識別システムの実施の形態に係る第４の特徴は、前記被識別信号系は、変調方式が未知で歪が加えられている変調信号を受信する被識別信号受信部と、この被識別信号受信部で受信した受信信号の波形から識別パラメータを測定する識別パラメータ測定部と、この識別パラメータ測定部により測定された識別パラメータを前記データベースに記億されている識別パラメータと比較する識別パラメータ比較部と、この識別パラメータ比較部で識別パラメータ同士を比較した結果が、予め設定している設定値より大きいときは、前記データベースに記憶されていた識別パラメータに対応した変調方式により変調されていると識別する変調方式識別手段とを有することである。
【００１５】
また、本発明の信号変調方式識別システムの実施の形態に係る第５の特徴は、前記識別パラメータ比較部で識別パラメータ同士を比較した結果が、予め設定している設定値より大きいときは、前記データベースに記憶されていた識別パラメータに対応した変調方式がＡＭ変調方式であると識別することである。
【００１６】
また、本発明の信号変調方式識別システムの実施の形態に係る第６の特徴は、前記被識別信号受信部と前記識別パラメータ測定部との間に、前記識別信号受信部で受信した受信信号を逓倍する逓倍部と、この逓倍部で逓倍された複素数信号を高速フーリエ変換して前記識別パラメータ測定部へ伝達するＦＦＴと、前記前記識別信号受信部で受信した受信信号についてのコンスタレーション表示を作成し、前記識別パラメータ測定部へ伝達するコンスタレーション表示作成部とを有することである。
【００１７】
また、本発明の信号変調方式識別システムの実施の形態に係る第７の特徴は、前記受信信号が逓倍部で逓倍された後のスペクトラムと、コンスタレーション表示作成部により作成されたコンスタレーション表示とによって判断される変調方式がＢＰＳＫ変調方式であることである。
【００１８】
また、本発明の信号変調方式識別システムの実施の形態に係る第８の特徴は、前記データベースには、少なくともＡＭ変調方式およびＢＰＳＫ変調方式に関する識別パラメータが記憶されていることである。
【発明の効果】
【００１９】
本発明によれば、到来する変調方式が不明の受信信号に歪のある信号である場合でも、その受信信号の変調方式を正確に識別することができる。
【発明を実施するための最良の形態】
【００２０】
以下、本発明の信号変調方式識別システムを実施するための最良の形態を、図面を参照して説明する。
【００２１】
図１は、信号変調方式識別システムの全体構成を示すブロック図である。信号変調方式識別システム１は、大別すると、信号の流れに対応して、既知の変調方式を施した理想的な信号波形を元に、その信号波形に歪を付加して取り扱う理想波形系２、実際の変調信号を収集して変調方式を分析し、その識別パラメータ測定して取り扱う実信号系３、識別対象となる信号を受信して識別パラメータを測定・比較して識別する等の取り扱いをおこなう被識別信号系４、および、各系がそれぞれ接続し、歪波形識別パラメータが記憶されている歪波形識別パラメータデータベース５（以下、単に「データベース」という）とを具備して構成されている。
【００２２】
理想波形系２は、信号の流れる順序に、所定の変調をした理想的な信号波形を得る理想波形発生部１１、この理想波形の信号に歪を加える歪付加部１２、さらに、この歪付加部１２で歪を加えられた波形の識別パラメータを測定する第１識別パラメータ測定部１３とを有している。第１識別パラメータ測定部１３の出力側はデータベース５へ接続されている。
【００２３】
なお、歪付加部１２では、想定される歪を付加する。付加する歪としては送受信フィルタの周波数特性、雑音、および、マルチフェージングなどがある。
【００２４】
また、第１識別パラメータ測定部１３で用いる識別パラメータを例示すると、元になる基本波形、２逓倍、４逓倍それぞれのスペクトラム形状の特徴及びスペクトラムの積分値、キャリア成分の有無及び鋭さ、帯域幅、周期定常性、振幅瞬時値の標準偏差、振幅瞬時値の絶対値の標準偏差、振幅瞬時値の尖度、周波数瞬時値の絶対値の標準偏差、周波数瞬時値の尖度、位相瞬時値の真値の標準偏差・位相瞬時値の絶対値の標準偏差・正規化振幅絶対値のスペクトラムの最大値、左右スペクトラムの有無、左右スペクトラムの左右非対称性、中心周波数の電力、受信信号スペクトラムの最大値などを用いることができる。
【００２５】
実信号系３は、信号の流れる順序に、実際の信号を集める実信号波形収集部１５と、この実信号波形収集部１５で集められた信号の変調方式を分析する変調方式分析部１６と、この変調方式分析部１６で分析された信号の識別パラメータを測定し、その測定値をデータベース５に送る第２識別パラメータ測定部１７とを有している。第２識別パラメータ測定部１７での測定結果データは、データベース５に送られ、データベース５で測定結果のパラメータを記億する。
【００２６】
被識別信号系４は、識別対象となる信号を受信する被識別信号受信部１８、この被識別信号受信部１８で受信した被識別信号の識別パラメータを測定する識別パラメータ測定部１９と、識別パラメータ測定部１９で測定された識別パラメータをデータベース５に記億されている各変調方式の識別パラメータと比較する識別パラメータ比較部２０、および、識別パラメータ比較部２０での比較の結果から、変調方式を識別する変調方式識別部２１とを有している。
【００２７】
これらの構成により、本実施形態の信号変調方式識別システム１では、先に変調方式が判明している変調信号に歪を加えて識別パラメータを測定し、データベース５に記憶しておく測定モードと、その記憶された識別パラメータを読み出して、被識別対象の信号から測定された識別パラメータを比較し識別する識別モードにより、受信した信号の変調方式の識別をおこなっている。
【００２８】
次に、上記構成による信号変調方式識別システム１における信号の処理動作について順次説明する。なお、信号の処理動作の説明において、各部の構成については、図１に示した名称と符号を援用している。フロー全体の流れは、まず、測定モードから始まり、測定モードが終了すると識別モードへ引き継がれる。
【００２９】
まず、図２に示したフローチャートを参照して、測定モードについて説明する。
【００３０】
測定モードでは、理想波形系２に於いては、既知の信号に基づいて、信号が理想波形発生部１１→歪付加部１２→第１識別パラメータ測定部１３へと流れる。
【００３１】
すなわち、まず、図２に示すように、理想波形発生部に理想波形を入力する（ステップＳ１）。
【００３２】
次に、理想波形が入力された歪付加部１２で、理想波形に歪を加える（ステップＳ２）。
【００３３】
次に、理想波形に歪を加えた波形に対して、第１識別パラメータ測定部１３で識別パラメータを測定する（ステップＳ３）。
【００３４】
測定した識別パラメータをデータベース５に記憶させる（ステップＳ４）。
【００３５】
一方、測定モードの実信号系３では、信号が実信号波形収集部１５→変調形式分析部１６→第２第２識別パラメータ測定部１７へと流れる。
【００３６】
まず、実信号波形収集部１５に実信号の波形を入力する（ステップＳ５）。
【００３７】
次に、実信号波形収集部１５に入力された実信号の波形を、変調形式分析部１６で変調方式を分析する（ステップＳ６）。
【００３８】
次に、分析した変調方式の波形について、第２識別パラメータ測定部１７で識別パラメータを測定する（ステップＳ７）。
【００３９】
測定した識別パラメータを歪波形識別パラメータ５に記憶する（ステップＳ８）。
【００４０】
すなわち、理想波形系２では、理想波形発生部１１→歪付加部１２→識別パラメータ測定部１３のように信号が流れ、想定した歪を演算により発生し加えている。それに対して、実信号系３では、実信号波形収集部１５→変調形式分析部１６→第２識別パラメータ測定部１７と信号が流れ、実際に受信された歪の加わった波形を測定している点が異なる。これにより、歪の状態を種々の状態を想定したことにより、広く扱うことができる。
【００４１】
次に、図３の信号処理の流れの説明図を参照して、信号変調方式識別システム１の動作の識別モードについて説明する。
【００４２】
識別モードでは、実際に入力される被測定信号について、被測定信号系で取り扱う。
【００４３】
まず、被識別信号受信部１８に識別の対象となる、変調方式が未知の信号波形を入力する（ステップＳ１１）。
【００４４】
次に、被識別信号受信部１８に入力された信号波形について、識別パラメータ測定部１９で３つのパラメータである、キャリア成分、スペクトラム対象性、振幅変動を計測する（ステップＳ１２ａ，Ｓ１２ｂ，Ｓ１２ｃ）。
【００４５】
次に、計測したそれぞれの計測値（計測値１、計測値２、計測値３）を保存する（ステップＳ１３）。
【００４６】
次に、識別パラメータ比較部２０で、識別パラメータ測定部１９にそれぞれ保存された計測値について、各計測値を各々歪がない場合、歪の程度が軽い場合、歪の程度が重い場合の基準値と比較する（ステップＳ１４ａ，Ｓ１４ｂ，Ｓ１４ｃ）。
【００４７】
次に、識別パラメータ比較部２０で、各々歪がない場合、歪の程度が軽い場合、歪の程度が重い場合の基準値との比較結果で、基準値との一致度が最大のものを選択する（ステップＳ１５）。
【００４８】
次に、変調方式識別部２１で、識別パラメータ比較部で選択された、基準値との一致度が最大のものについて、一致度が設定値以上であることを判定する。その結果、その一致度が設定値以上であることが確認されると、特定の変調方式即ち、特定の振幅変調方式であると識別される（ステップＳ１６）。
【００４９】
次に、特定の振幅変調方式の識別の具体例として、ＡＭ変調方式の場合について説明する。
【００５０】
すなわち、ＡＭ変調方式では、振幅変調（入力波形；音声）と、変調された搬送波（キャリア）の振幅が、一対一（正確には相似）で対応しているので、判定に用いるパラメータは、
（１）キャリア成分が存在する
（２）キャリア成分を中心にスペクトラムが対称性を持っている
（３）振幅変動がある
の３つが代表的なものである。
【００５１】
図４に波形の説明図を示したように、（１）の「キャリア成分が存在する」については、図４において幅が一定値以下Ｃである鋭い立上りが存在し、範囲Ａにおける最大レベルと最小レベルの差が一定以上あることで判断する。
【００５２】
（２）の「キャリア成分を中心にスペクトラムが対称性を持っている」については、（１）で判定したキャリアの左右のスペクトラムにおいて、範囲Ｂ内において対象位置にあるスペクトラム成分の電力差（レベル差）の合計が小さいことで判断する。
【００５３】
（３）の「振幅変動がある」については、図５に説明図を示したように、振幅変動を分散（図５での点線の範囲内）として計測し、それが一定以上あることで判断する。
【００５４】
次に、図６の波形図を参照して歪が加わった場合について説明する。なお、図４及び図５では、基本的に歪がほとんどない状態を示している。
【００５５】
歪の影響としては、（イ）キャリア成分のレベル低下、（ロ）スペクトラムの対称性の崩れ、（ハ）振幅変動の変化（増大現象もある）が存在する。したがって、実際の状況を模擬して、あるいは実際の波形を観測してその状態をデータベース５に保存しておく。なお、この歪の程度は複数の状況を想定して、データベース５に複数通りを保存する。
【００５６】
これらのデータを各々、データベース５に保存しておくことにより、入力される未知の信号波形と比較して、当該未知の信号波形の変調方式を的確に識別することができる。
【００５７】
次に、別の特定の変調方式の識別の具体例として、ＢＰＳＫ（デジタル位相変調：Ｂｉｎａｒｙ  Ｐｈａｓｅ  Ｓｈｉｆｔ  Ｋｅｙｉｎｇ）変調方式の場合について説明する。
【００５８】
デジタル位相変調のＢＰＳＫは、位相を１８０度シフトするかどうかによって「０」又は「１」を表すように変調する変調方式である。
【００５９】
図７は、ＢＰＳＫ変調方式の信号変調方式識別システム１Ａの全体構成を示すブロック図で、先に図１に示した信号変調方式識別システム１の全体構成を示すブロック図とは被識別信号系４が異なる。つまり、図７では被識別信号系４Ａが、図１に示した被識別信号系４における被識別信号受信部１８と識別パラメータ測定部１９の間に、２つのルートが挿入されている。一方のルートは、逓倍部３１→ＦＦＴ（高速フーリエ変換部）３２であり、他方のルートはコンスタレーション表示作成部３３である。なお、図７において、それ以外の部分は図１と同じであるので、同一箇所に同一符号を付してその個々の説明を省略する。
【００６０】
逓倍部３１は、複素数演算により、入力された信号の周波数を２逓倍および４逓倍する。なお、ＢＰＳＫ信号の時間波形は、図８（ａ）に示す波形と図８（ｂ）に示す波形との和で表される。このため、スペクトラムの重ね合わせにより、図８（ａ）（ｂ）のＤＣ（直流）成分のみが打ち消され、図９に示すようなスペクトラムとなる。
【００６１】
また、ＢＳＰＫ信号を逓倍処理すると帯域幅が小さくなる。このため、ＢＰＳＫ変調方式を判定することができる。
【００６２】
すなわち、ＢＰＳＫの場合、２逓倍により中央に線スペクトラムが生じる。また、信号の変調速度に応じて、左右に中央より低いレベルの線スペクトラムが生じる。
【００６３】
また、４逓倍でも２逓倍の場合と同様に、線スペクトラムが生じる。
【００６４】
ＦＦＴ３２は、逓倍部３１からの複素数信号を高速フーリエ変換する。この高速フーリエ変換では、時間領域から周波数領域への変換が行われる。
【００６５】
コンスタレーション表示生成部３３は、入力した同相成分（Ｉチャネル成分）と直交成分（Ｑチャネル成分）とからコンスタレーション表示を生成する。コンスタレーション表示は、デジタル変調信号の質を評価するものである。つまり、通常、デジタル変調信号の質は、一般的に搬送波（キャリア）と雑音（ノイズ）との比を表すＣＮ比、ビット誤り率（ＢＥＲ）、変調誤差比（ＭＥＲ）等で評価される。これらを数値で算出する方法の他に、コンスタレーション表示として、縦軸Ｉ、横軸Ｑの直交座標を表示器の画面上に表示し、その座標上にデジタル変調信号を復調して得られるベースバンド信号Ｉ、Ｑの座標点をプロットすることも行われている。
【００６６】
なお、プロットされる座標点のおおよその位置は、デジタル変調信号の変調形式によって決まる。ＢＰＳＫの場合の座標の位置は、ＩＱ平面における２点間をつなぐ軌跡となる。
【００６７】
以上のことから、図１０に説明図を示したように、ＢＰＳＫ変調の判断基準では、以下の３点が特徴となり、パラメータとして用いる。
【００６８】
（１）２逓倍により中央に線スペクトラムが生じる。また、信号の変調速度に応じて、左右に中央より低いレベルの線スペクトラムが生じる。
【００６９】
（２）また、４逓倍でも２逓倍の場合と同様に、線スペクトラムが生じる。
【００７０】
（３）コンスタレーション表示における座標の位置は、ＩＱ平面における２点間を繋ぐ軌跡となる。
【００７１】
次に、データベース５に記憶されているデータベースについて説明する。
【００７２】
図１１、図１２、および、図１３にそれぞれ、歪がない状態、歪が加わった状態として、軽い歪の状態、および、重い歪の状態に対して、それぞれの基本はスペクトラム、２逓倍スペクトラム、４逓倍スペクトラム毎に波形図、および、コンステレーション表示を示した。以下、各図（図１１〜図１３）について説明する。
【００７３】
図１１に示したように、「歪がない状態」では、基本はスペクトラムは中央の山の稜線が左右対称形成されている。２逓倍および４逓倍では、中央に線スペクトラムが生じ中央の高さが低くなる。ただし、左右対称形は維持されている。また、コンスタレーション表示は、やや太めの線状になるが、２点間の軌跡であることは判読できる。
【００７４】
図１２に示した「軽い歪の状態」では、「歪がない状態」と同様に、基本はスペクトラムに比べて、２逓倍および４逓倍では、中央に線スペクトラムが生じ中央の高さが低くなる。しかも、中央の山の稜線が左右対称形が崩れてくる。また、コンスタレーション表示は、元々の軸には沿っているが、２点間の軌跡であることの判読が不明確になるほど膨らんでいる。
【００７５】
図１３に示した「重い歪の状態」では、「歪がない状態」と同様に、基本はスペクトラムに比べて、２逓倍および４逓倍では、中央に線スペクトラムが生じ中央の高さが低くなる。しかも、中央の山の稜線の左右対称形が崩れてくる。また、コンスタレーション表示は、元々の軸には沿っているが、２点間の軌跡であることの判読が不明確になるほど擬似円形状に近く形状まで膨らんでいる。
【００７６】
これらのデータベース５に記憶されているデータベースのデータと、被識別信号受信部１８で受信した被識別信号とを、識別パラメータ比較部２０で比較することにより、被識別信号がＢＰＳＫ変調方式であるか否かを適確に識別することができる。
【００７７】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７８】
【図１】本発明の信号変調方式識別システムの全体構成を示すブロック図。
【図２】本発明の信号変調方式識別システムの測定モードのフローチャート。
【図３】本発明の信号変調方式識別システムの識別モードの説明図。
【図４】本発明の信号変調方式識別システムによるＡＭ変調方式の判断基準の説明図。
【図５】本発明の信号変調方式識別システムによるＡＭ変調方式の判断基準の説明図。
【図６】本発明の信号変調方式識別システムによるＡＭ変調方式の判断基準の説明図。
【図７】本発明の信号変調方式識別システムの変形例の全体構成を示すブロック図。
【図８】（ａ）および（ｂ）は、ＢＰＳＫ信号の時間波形の説明図。
【図９】ＢＰＳＫ信号の時間波形でＤＣ（直流）成分のみが打ち消された波形の説明図。
【図１０】ＢＰＳＫ変調の判断基準の説明図。
【図１１】ＢＰＳＫ変調の判断に用いるデータベースに記憶されているデータベースの説明図。
【図１２】ＢＰＳＫ変調の判断に用いるデータベースに記憶されているデータベースの説明図。
【図１３】ＢＰＳＫ変調の判断に用いるデータベースに記憶されているデータベースの説明図。
【符号の説明】
【００７９】
１、１Ａ…信号変調方式識別システム、２…理想波形系、３…実信号系、４、４Ａ…被識別信号系、５…データベース、１１…理想波形発生部、１２…歪付加部、１３…第１識別パラメータ測定部、１５…実信号波形収集部、１６…変調形式分析部、１７…第２識別パラメータ測定部、１８…被識別信号受信部、１９…第３第３識別パラメータ測定部、２０…識別パラメータ比較部、２１…変調方式識別部、３１…逓倍部、３２…ＦＦＴ、３３…コンスタレーション表示作成部。
【図１】
2008035078.tif 000003
【図２】
2008035078.tif 000004
【図３】
2008035078.tif 000005
【図４】
2008035078.tif 000006
【図５】
2008035078.tif 000007
【図６】
2008035078.tif 000008
【図７】
2008035078.tif 000009
【図８】
2008035078.tif 000010
【図９】
2008035078.tif 000011
【図１０】
2008035078.tif 000012
【図１１】
2008035078.tif 000013
【図１２】
2008035078.tif 000014
【図１３】
2008035078.tif 000015